(57)【要約】【課題】熟練した技術を必要とせず、簡単に腸に刺激を与えることができる腹部深部刺激装置を提供する。【解決手段】腹部深部刺激装置１００は、振動を発生する振動発生部１１と、一端が振動発生部１１に着脱自在に接続されており、他端が人体の腹部Ｓに対して当接される当接部１２ｂとなっており、振動発生部１１の振動によって振動して、当接された人体の腹部Ｓに対して振動を伝え、かつ、人体の腹部Ｓに沈み込む振動体１２と、を備え、振動発生部１１と振動体１２とを合せた自重は、振動体１２が振動し、かつ、自重のみが当接部１２ｂを介して人体の腹部Ｓに作用した状態において、振動体１２が人体の腹部に沈み込むことができる重量に設定されている。【選択図】図２
2017225533.tif 000002
【特許請求の範囲】
【請求項１】
振動を発生する振動発生部と、
一端が前記振動発生部に着脱自在に接続されており、他端が人体の腹部に対して当接される当接部となっており、前記振動発生部の振動によって振動して、当接された人体の腹部に対して振動を伝え、かつ、人体の腹部に沈み込む振動体と、
を備え、
前記振動発生部と前記振動体とを合せた自重は、前記振動体が振動し、かつ、前記自重のみが前記当接部を介して人体の腹部に作用した状態において、前記振動体が人体の腹部に沈み込むことができる重量に設定されていること、
を特徴とする腹部深部刺激装置。
【請求項２】
請求項１に記載の腹部深部刺激装置において、
前記振動体は、円柱形状に形成されており、前記当接部は、半球形状に形成されていること、
を特徴とする腹部深部刺激装置。
【請求項３】
請求項２に記載の腹部深部刺激装置において、
前記振動体は、円柱形上の軸線方向に交差する方向に前記当接部が振動すること、
を特徴とする腹部深部刺激装置。
【請求項４】
請求項２又は請求項３に記載の腹部深部刺激装置において、
前記振動体は、円柱形状の直径が、２ｃｍから４ｃｍの範囲であること、
を特徴とする腹部深部刺激装置。
【請求項５】
請求項１から請求項４までのいずれか１項に記載の腹部深部刺激装置において、
前記振動体は、その前記当接部の振動時の振幅が２ｍｍから４ｍｍの範囲であること、
を特徴とする腹部深部刺激装置。
【請求項６】
請求項１から請求項５までのいずれか１項に記載の腹部深部刺激装置において、
前記振動体は、金属を素材とすること、
を特徴とする腹部深部刺激装置。
【請求項７】
請求項１から請求項６までのいずれか１項に記載の腹部深部刺激装置において、
前記振動発生部と前記振動体とを合せた重量は、１．５ｋｇから２．５ｋｇの範囲であること、
を特徴とする腹部深部刺激装置。
【請求項８】
請求項１から請求項７までのいずれか１項に記載の腹部深部刺激装置において、
前記振動発生部に電力を供給する電源部が前記振動発生部とは別体で設けられており、
前記電源部から前記振動発生部へ供給する電力を変化させることにより、前記振動発生部の振動周波数が変更されること、
を特徴とする腹部深部刺激装置。
【発明の詳細な説明】
【技術分野】
【０００１】
本発明は、人体の腹部に振動を与える腹部深部刺激装置に関するものである。
【背景技術】
【０００２】
近年、腸もみ、腸セラピー等と呼ばれる、大腸や小腸を刺激し、健康維持や体質改善を図る手法が注目されている。腸に刺激を与えることにより、便秘や下痢の症状改善、むくみの改善、冷え性の改善、各種炎症の改善等、様々な体質改善が期待できる。
腸に刺激を与える手法としては、従来は、熟練した施術者が手により腹部に刺激を与える手法が行われていた。しかし、適切に腸に刺激を与えることができる熟練した施術者は、極僅かしかおらず、簡単に施術を受けることができなかった。そこで、熟練者ではなくとも、簡単に腸に刺激を与える手法が望まれていた。
【０００３】
腹部に刺激を与える装置として、特許文献１には、腹部マッサージ装置及び刺激装置が開示され、特許文献２には、内臓脂肪分解器具が開示されている。
【先行技術文献】
【特許文献】
【０００４】
【特許文献１】特表平９−５１２７１６号公報
【特許文献２】特開２００７−１０５０８６号公報
【発明の概要】
【発明が解決しようとする課題】
【０００５】
しかし、特許文献１の装置は、装置の上に人が載るような形で使用されるものと考えられるが、そのような使用形態では、利用者がその体勢を維持すること自体が辛く、長時間の施術が困難であった。また、装置の上に人が載ることから、刺激を与える突起が腹部を押圧する力量を制御することが難しかった。また、人体の重さに耐える必要があり、装置を頑丈に作る必要があり、また、可動部が多く装置が大がかりで複雑なことからも、製造コストが高く、簡単に使用できなかった。
【０００６】
また、特許文献２の装置は、そもそも内臓脂肪の分解を目的としたものであり用途も異なるものである。仮に、腸に対する刺激という観点でみたとしても、ベルトで体に巻き付けられるだけであり、さらに、多数の突起を備えていることから、それぞれの突起が人体に深く入り込むことが期待できず、腸に対して十分な刺激を与えることができなかった。
【０００７】
本発明の課題は、熟練した技術を必要とせず、簡単に腸に刺激を与えることができる腹部深部刺激装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
【０００９】
第１の発明は、振動を発生する振動発生部（１１）と、一端（１２ａ）が前記振動発生部（１１）に着脱自在に接続されており、他端が人体の腹部（Ｓ）に対して当接される当接部（１２ｂ）となっており、前記振動発生部（１１）の振動によって振動して、当接された人体の腹部（Ｓ）に対して振動を伝え、かつ、人体の腹部（Ｓ）に沈み込む振動体（１２）と、を備え、前記振動発生部（１１）と前記振動体（１２）とを合せた自重は、前記振動体（１２）が振動し、かつ、前記自重のみが前記当接部（１２ｂ）を介して人体の腹部（Ｓ）に作用した状態において、前記振動体（１２）が人体の腹部（Ｓ）に沈み込むことができる重量に設定されていること、を特徴とする腹部深部刺激装置（１００）である。
【００１０】
第２の発明は、第１の発明に記載の腹部深部刺激装置（１００）において、前記振動体（１２）は、円柱形状に形成されており、前記当接部（１２ｂ）は、半球形状に形成されていること、を特徴とする腹部深部刺激装置（１００）である。
【００１１】
第３の発明は、第２の発明に記載の腹部深部刺激装置（１００）において、前記振動体（１２）は、円柱形上の軸線方向に交差する方向に前記当接部（１２ｂ）が振動すること、を特徴とする腹部深部刺激装置（１００）である。
【００１２】
第４の発明は、第２の発明又は第３の発明に記載の腹部深部刺激装置（１００）において、前記振動体（１２）は、円柱形状の直径が、２ｃｍから４ｃｍの範囲であること、を特徴とする腹部深部刺激装置（１００）である。
【００１３】
第５の発明は、第１の発明から第４の発明までのいずれか１項に記載の腹部深部刺激装置（１００）において、前記振動体（１２）は、その前記当接部（１２ｂ）の振動時の振幅が２ｍｍから４ｍｍの範囲であること、を特徴とする腹部深部刺激装置（１００）である。
【００１４】
第６の発明は、第１の発明から第５の発明までのいずれか１項に記載の腹部深部刺激装置（１００）において、前記振動体（１２）は、金属を素材とすること、を特徴とする腹部深部刺激装置（１００）である。
【００１５】
第７の発明は、第１の発明から第６の発明までのいずれか１項に記載の腹部深部刺激装置（１００）において、前記振動発生部（１１）と前記振動体（１２）とを合せた重量は、１．５ｋｇから２．５ｋｇの範囲であること、を特徴とする腹部深部刺激装置（１００）である。
【００１６】
第８の発明は、第１の発明から第７の発明までのいずれか１項に記載の腹部深部刺激装置（１００）において、前記振動発生部（１１）に電力を供給する電源部が前記振動発生部（１１）とは別体で設けられており、前記電源部から前記振動発生部（１１）へ供給する電力を変化させることにより、前記振動発生部（１１）の振動周波数が変更されること、を特徴とする腹部深部刺激装置（１００）である。
【発明の効果】
【００１７】
本発明によれば、腹部深部刺激装置は、熟練した技術を必要とせず、簡単に腸に刺激を与えることができる。
【図面の簡単な説明】
【００１８】
【図１】本発明による腹部深部刺激装置１００の実施形態を示す図である。
【図２】振動装置本体１０を拡大して示した斜視図である。
【図３】振動装置本体１０を図２中のＡ−Ａの位置で一部切断して示した部分断面図である。
【図４】腹部深部刺激装置１００の利用形態の一例を示す図である。
【図５】腹部深部刺激装置１００の利用時の振動方向を説明する図である。
【発明を実施するための形態】
【００１９】
以下、本発明を実施するための最良の形態について図面等を参照して説明する。
【００２０】
（実施形態）
図１は、本発明による腹部深部刺激装置１００の実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
腹部深部刺激装置１００は、振動装置本体１０と、電源部２０と、給電コード３０とを備えている。
【００２１】
図２は、振動装置本体１０を拡大して示した斜視図である。
図３は、振動装置本体１０を図２中のＡ−Ａの位置で一部切断して示した部分断面図である。
振動装置本体１０は、振動発生部１１と、振動体１２と、保護ジャケット１３とを備えている。
【００２２】
振動発生部１１は、円筒形状のステンレス鋼の部材と、両端を塞ぐアルミニウム製の部材とにより、外形形状が形成されている。振動発生部１１の一方の端部には、作動スイッチ１１ａと、給電コード３０とが設けられている。
振動発生部１１の内部には、図３に示すような偏心した偏心体１１ｂが、中心軸１１ｃに取付けられている。中心軸１１ｃは、不図示のモータの出力軸となっており、電源部２０から電力の供給を受けて回転し、偏心体１１ｂを回転させる。この偏心体１１ｂの回転によって、振動発生部１１は、その全体が振動を発生する。
振動発生部１１の円筒形状面の中央部には、振動体１２が、ねじ込まれて固定されている。
【００２３】
振動体１２は、真鍮を素材として、これを切削加工することにより全体が略円柱形状に形成されており、一端が接続端１２ａ、他端が当接部１２ｂとなっている。
振動体１２は、接続端１２ａに設けられた雄ねじが、振動発生部１１に設けられた雌ねじにねじ込まれて、振動発生部１１に着脱自在な状態で接続されている。
また、振動体１２の当接部１２ｂは、半球形状に形成されている。この形状によって、当接部１２ｂが利用者の体に接触して振動しても、利用者が痛みを感じ難くなる。
振動体１２は、接続端１２ａから当接部１２ｂまでが、棒状に長く延在している。この形態になっていることから、振動体１２は、振動発生部１１の振動によって、図３に示すように、その円柱形上の軸線方向に交差する方向、すなわち、図３における左右方向に当接部１２ｂが振動する。従って、単に当接部が腹部に対して上下動するような振動ではなく、その振動方向に指向性を持っている。
【００２４】
保護ジャケット１３は、内部に断熱材や緩衝材等を包含する厚手の布地や、皮革等により形成されており、振動発生部１１の外周面を覆っている。保護ジャケット１３は、振動発生部１１を保護し、また、振動発生部１１が発生する振動、及び、熱が利用者の手に直接伝わらないようにして、利用者の手に伝わる熱及び振動を少なくする。
【００２５】
電源部２０は、振動発生部１１とは別体で設けられており、給電コード３０で振動発生部１１と電気的に接続されている。電源部２０は、主電源スイッチ２１と、出力スイッチ２２と、出力可変つまみ２３と、端子部２４とを備え、振動発生部１１へ電力を供給する。電源部２０から振動発生部１１へ供給する電力は、出力可変つまみ２３を操作することにより変化させることができ、これにより、振動発生部１１の振動周波数を変更することができる。
【００２６】
上述した構成の腹部深部刺激装置１００は、振動体１２の当接部１２ｂが人体の腹部に対して当接され、その状態で振動発生部１１の振動によって振動体１２が振動して、当接された人体の腹部に対して振動を伝え、かつ、人体の腹部に振動体１２が沈み込む。この沈み込みは、無理に力をかけたりすることなく、徐々に、かつ、自動的に実現される。これは、振動発生部１１と振動体１２とを合せた自重と、当接部１２ｂが振動することにより実現される。振動体１２の沈み込む量は、利用者の体の状態にもよるが、５ｃｍ程度にまで達する。このように深く振動体１２が人体の腹部に沈み込むことにより、小腸や大腸に対して振動を有効に作用させることが可能である。
【００２７】
ここで、上述のように振動体１２を自然に腹部に沈み込ませるためには、振動発生部１１及び振動体１２に関して、以下のような条件とすることが望ましい。
先ず、振動発生部１１と振動体１２とを合せた自重は、振動体１２が振動し、かつ、自重のみが当接部１２ｂを介して人体の腹部に作用した状態において、振動体１２が人体の腹部に沈み込むことができる重量に設定されていることが必要である。このためには、振動発生部１１と振動体１２とを合せた重量は、１．５ｋｇから２．５ｋｇの範囲であることが望ましい。本実施形態では、振動発生部１１の重量が１．５ｋｇであり、振動体１２の重量が０．５ｋｇであり、両者を合せた重量は、２ｋｇとなっている。
振動発生部１１と振動体１２とを合せた重量が、１．５ｋｇから２．５ｋｇの範囲であれば、施術を受ける人（被施術者）の腹部に振動体１２の当接部１２ｂが当接した状態で、振動発生部１１と振動体１２とを合せた重量が自然にかけられても、被施術者の８０％が痛み等を感じることなく、苦しくないとの試験結果が得られている。
【００２８】
また、振動体１２の形状も、適切な範囲とすることが必要であり、振動体１２は、円柱形状の直径が、２ｃｍから４ｃｍの範囲であることが望ましい。本実施形態では、振動体１２の円柱形状の直径は、３ｃｍとなっている。
振動体１２の円柱形状の直径を、２ｃｍから４ｃｍの範囲とする理由は、施術者の親指の指先から第１関節までの直径が、３ｃｍ程度であり、施術者によって受ける施術と同様な感触及び作用を被施術者が受けることができる範囲として、この範囲が適切だからである。
さらに、振動体１２は、その当接部１２ｂの振動時の振幅が２ｍｍから４ｍｍの範囲であることが望ましい。本実施形態では、当接部１２ｂの振動時の振幅は、３ｍｍとなっている。
振幅が上記範囲よりも小さいと、十分な刺激を与えることができない。また、振幅が上記範囲よりも大きいと、装置自体の振動が大きくなりすぎて、取り扱いにくくなり、また、被施術者が不快に感じてしまう。よって、振動体１２の振幅は、上記範囲とすることが望ましい。
【００２９】
上述の条件を満たすと、仰向けに寝た状態の人体の腹部に当接部１２ｂを当接させて、振動を行えば、振動装置本体１０を軽く支えておくだけで、自然に振動体１２が腹部に沈み込んでいく。そして、小腸や大腸に対して適度な刺激を簡単に与えることができる。本実施形態の腹部深部刺激装置１００を人体の腹部に用いると、副交感神経が優位になり、利用者がリラックスした状態となることが確認できている。これは、腸の自発的な活動を促し、腸の活動が活発になった結果と考えられる。
【００３０】
次に、腹部深部刺激装置１００の利用方法について説明する。
図４は、腹部深部刺激装置１００の利用形態の一例を示す図である。
腹部深部刺激装置１００を利用する場合、利用者Ｈは、腹部Ｓを上方にして仰向けになる。そして、腹部Ｓに振動体１２を真っ直ぐに当てる。振動装置本体１０は、利用者Ｈが自らの手で支えてもよいし、他の補助者が支えてもよい。また、図４に示すように、振動装置本体１０を軽く保持して支える補助具４０を用いてもよい。
【００３１】
図５は、腹部深部刺激装置１００の利用時の振動方向を説明する図である。
先に説明したように、振動体１２は、その振動方向に指向性がある。この振動体１２の振動方向は、例えば、図５に矢印Ｘで示した人体に対する横方向としてもよいし、矢印Ｙで示した人体に対する縦方向としてもよい。また、これらの方向に限らず、斜め方向でもよく、利用者の状態に応じて適宜調整するとよい。
【００３２】
以上説明したように、本実施形態によれば、腹部深部刺激装置１００は、仰向けに寝た状態の人体の腹部に当接部１２ｂを当接させて、振動を行えば、振動装置本体１０を軽く支えておくだけで、自然に振動体１２が腹部に沈み込んでいく。したがって、腹部深部刺激装置１００は、腹部の表面のみに刺激を与えるものではなく、腹部の深部に刺激を与えることができ、腸に対して効果的に刺激を与えることが可能である。よって、腹部深部刺激装置１００は、熟練した技術を必要とせず、簡単に腸に刺激を与えることができる。
【００３３】
（変形形態）
以上説明した実施形態に限定されることなく、種々の変形や変更が可能であって、それらも本発明の範囲内である。
【００３４】
（１）本実施形態において、振動体１２は、真鍮を素材とした例を挙げて説明した。これに限らず、例えば、振動体１２は、ステンレス鋼を素材としてもよいし、適切な重量を確保できれば、どのような素材を用いてもよい。なお、大型化せずに必要な重量を確保するためには、金属材料を振動体１２の素材として用いることが望ましい。
【００３５】
（２）本実施形態において、電源部２０を振動装置本体１０とは別体として分離した形態を例に挙げて説明した。これに限らず、例えば、電源部２０の機能の一部、又は、全てを振動装置本体１０に含めてもよい。このようにすることにより、腹部深部刺激装置の重量増加が見込めるので、その場合には、振動体に、より軽量な素材を用いることができる。
【００３６】
なお、実施形態及び変形形態は、適宜組み合わせて用いることもできるが、詳細な説明は省略する。また、本発明は以上説明した各実施形態によって限定されることはない。
【符号の説明】
【００３７】
１０    振動装置本体
１１    振動発生部
１１ａ  作動スイッチ
１１ｂ  偏心体
１１ｃ  中心軸
１２    振動体
１２ａ  接続端
１２ｂ  当接部
１３    保護ジャケット
２０    電源部
２１    主電源スイッチ
２２    出力スイッチ
２３    出力可変つまみ
２４    端子部
３０    給電コード
４０    補助具
１００  腹部深部刺激装置
Ｈ      利用者
Ｓ      腹部
【図１】
2017225533.tif 000003
【図２】
2017225533.tif 000004
【図３】
2017225533.tif 000005
【図４】
2017225533.tif 000006
【図５】
2017225533.tif 000007